(57)【要約】【課題】ベルト走行時にセンターベルトとブロックとの嵌合部分に生じる熱を確実に外部に放散させる。【解決手段】ベルト１は、センターベルト１０と、センターベルト１０のベルト長手方向に沿って所定の隙間を空けて配列され、センターベルト１０がそれぞれ嵌合される複数のブロック２０とを有し、ブロック２０がＶプーリのＶ溝対向面に挟持された状態でＶプーリに巻き掛けられて使用される。ブロック２０の外側端部および内側端部は、ベルト走行時にブロック２０の外側端部または内側端部に沿って配列方向に流れる気流の方向を変化させて、隣接する２つのブロック２０の間に気流を導くような形状に形成されている。【選択図】図１
2011214625.tif 000002
【特許請求の範囲】
【請求項１】
センターベルトと、前記センターベルトのベルト長手方向に沿って所定の隙間を空けて配列され、前記センターベルトがそれぞれ嵌合される複数のブロックとを有し、前記ブロックがＶプーリのＶ溝対向面に挟持された状態で前記Ｖプーリに巻き掛けられて使用されるベルトであって、
前記複数のブロックのうち少なくとも一部のブロックは、外側端部または内側端部の形状が、ベルト走行時にブロックの外側端部または内側端部に沿って配列方向に流れる気流の方向を変化させて、隣接する２つのブロック間に気流を導くような形状であることを特徴とするベルト。
【請求項２】
前記少なくとも一部のブロックは、外側端部または内側端部に、前記配列方向に突出し、先端ほど厚みが小さくなる先細り状の突出部を有することを特徴とする請求項１に記載のベルト。
【請求項３】
前記少なくとも一部のブロックは、
外側端部と内側端部に、互いに逆方向に突出する前記突出部を有するブロックを含むことを特徴とする請求項２に記載のベルト。
【請求項４】
前記少なくとも一部のブロックは、
外側端部に前記配列方向の一方向に突出する前記突出部を有するブロックと、
このブロックの前記一方向側に隣接して配置され、内側端部に前記配列方向の他方向に突出する前記突出部を有するブロックとを含んでいることを特徴とする請求項２または３に記載のベルト。
【請求項５】
前記複数のブロックは全て、外側端部と内側端部に、互いに逆方向に突出する前記突出部を有することを特徴とする請求項２〜４のいずれかに記載のベルト。
【請求項６】
前記複数のブロックは、
外側端部に前記突出部を有する複数のブロックと、
外側端部に前記突出部を有さず、且つ、外側端部が前記突出部よりも奥まった位置にあるブロックとを含んでおり、
前記外側端部に突出部を有する２つのブロックの間に、前記外側端部に突出部を有しない１つまたは複数のブロックが配置されていることを特徴とする請求項２〜４のいずれかに記載のベルト。
【請求項７】
前記複数のブロックは、
内側端部に前記突出部を有する複数のブロックと、
内側端部に前記突出部を有さず、且つ、内側端部が前記突出部よりも奥まった位置にあるブロックとを含んでおり、
前記内側端部に突出部を有する２つのブロックの間に、前記内側端部に突出部を有しない１つまたは複数のブロックが配置されていることを特徴とする請求項２〜４、６のいずれかに記載のベルト。
【発明の詳細な説明】
【技術分野】
【０００１】
本発明は、センターベルトと、このセンターベルトのベルト長手方向に沿って配列され、センターベルトがそれぞれ嵌合される複数のブロックとを有するベルトに関する。
【０００２】
ベルト式無段変速装置に使用されるベルトなど、通常のゴムベルトでは耐久性が不足するような高負荷伝動用ベルトとして、センターベルトに、複数のブロックをベルト長手方向に配列させて取り付けた構成のベルトが用いられている（例えば、特許文献１参照）。このベルトは、ブロックがＶプーリのＶ溝対向面に挟持された状態でＶプーリに巻き掛けられて使用される。ブロックは、ベルト進行方向の前後面が平行な略板状の部材であって、高硬度で剛性が高い材料で形成されており、Ｖプーリから受ける力に耐える役割を果たしている。センターベルトは、ベルト長手方向の張力を受け持つ役割を果たしている。ブロックとセンターベルトとは、ブロックに形成された嵌合溝にセンターベルトが嵌合されることによって固定されている。また、センターベルトのブロックに嵌合する部分は変形が規制されるため、ベルトが屈曲できるように、複数のブロックは隙間を空けて配列されている。
【０００３】
センターベルトとブロックとは嵌合により固定されているため、このベルトを走行させた際、センターベルトとブロックとが微小に相対移動して、嵌合部分に摩擦が生じる。例えば、ブロックがＶプーリに接触（衝突）するときや、ブロックがＶプーリから抜け出すとき、また、ベルトが屈曲変形するときや、屈曲状態から元に戻るときに、ブロックとセンターベルトとの嵌合部分に摩擦が生じる。ベルト走行中は、このような摩擦を繰り返すため、嵌合部分において摩擦熱が発生する。この熱がベルト外部に放散されず蓄熱された状態で、長時間走行させると、センターベルトやブロックが劣化して、センターベルトが破断したり、ブロックが破損する場合がある。
【０００４】
特許文献２には、ブロックとセンターベルトとの摩擦により発生した熱を外部に放散するために、ブロックの前後面に通気溝を設けたベルトが記載されている。通気溝は、センターベルトが嵌合される嵌合溝と、ブロックの内側端面（ベルト内周側の面）および外側端面（ベルト外周側の面）とを連通させるように形成されており、この通気溝によって、嵌合溝内の空気をベルトの外部の空気と入れ替えられるようになっている。
【先行技術文献】
【特許文献】
【０００５】
【特許文献１】実開平１−５５３４４号公報
【特許文献２】特開２００９−３０８０３号公報
【発明の概要】
【発明が解決しようとする課題】
【０００６】
特許文献２のベルトの場合、ブロックは略板状であって、内側端面および外側端面は、ブロックの配列方向に沿った平坦状であるため、通気溝が端面に開口していても、ベルト走行時には、ベルトの外部の空気は複数のブロックの内側端面および外側端面に沿って流れ、ほとんど通気溝内に流入しない。そのため、ブロックとセンターベルトとの嵌合部分に生じた熱を十分に放散させることができなかった。
【０００７】
そこで、本発明は、ベルト走行時にセンターベルトとブロックとの嵌合部分に生じる熱を確実に外部に放散させることのできるベルトを提供する。
【課題を解決するための手段及び発明の効果】
【０００８】
第１の発明のベルトは、センターベルトと、前記センターベルトのベルト長手方向に沿って所定の隙間を空けて配列され、前記センターベルトがそれぞれ嵌合される複数のブロックとを有し、前記ブロックがＶプーリのＶ溝対向面に挟持された状態で前記Ｖプーリに巻き掛けられて使用されるベルトであって、前記複数のブロックのうち少なくとも一部のブロックは、外側端部または内側端部の形状が、ベルト走行時にブロックの外側端部または内側端部の表面に沿って配列方向に流れる気流の方向を変化させて、隣接する２つのブロック間に気流を導くような形状であることを特徴とする。
【０００９】
この構成によると、ベルト走行時、ブロックの外側端部または内側端部の表面に沿ってブロックの配列方向に流れる気流の一部は、隣接する２つのブロック間に導かれて、２つのブロックの間を通過して排出される。この空気の流れによって、ブロックとセンターベルトとの嵌合部分が擦れることにより発生する熱を、外部に放散することができる。なお、ブロックの外側端部とは、ベルトをＶプーリに巻き掛けたときに、Ｖプーリの外周側の端部のことであって、ブロックの内側端部とは、Ｖプーリの内周側の端部のことである。
【００１０】
第２の発明のベルトは、前記第１の発明において、前記少なくとも一部のブロックは、外側端部または内側端部に、前記配列方向に突出し、先端ほど厚みが小さくなる先細り状の突出部を有することを特徴とする。
【００１１】
この構成によると、ブロックに設けられた突出部の突出方向と同一方向にベルトを走行させると、この突出部によって、ブロックの外側端部または内側端部に沿って配列方向に流れる気流の方向を変えて、隣接する２つのブロック間に導くことができる。
【００１２】
第３の発明のベルトは、前記第２の発明において、前記少なくとも一部のブロックは、外側端部と内側端部に、互いに逆方向に突出する前記突出部を有するブロックを含むことを特徴とする。
【００１３】
この構成によると、ベルト走行方向がどちらの方向であっても、ブロックの外側端部に設けられた突出部の突出方向と、ブロックの内側端部に設けられた突出部の突出方向のいずれかが、ベルト走行方向と同一方向になるため、２つのブロックの間に空気を流入させることができる。
また、例えば、ブロックの外側端部に設けられた突出部の突出方向と反対方向にベルトを走行させた場合、隣接する２つのブロックの間に導入された気流は、外側端部の突出部によって、ブロックの外側端部の表面に沿って流れる気流の方向（ブロックの配列方向）に近い方向に変えられる。そのため、隣接する２つのブロックの間から空気をスムーズに排出させることができる。ブロックの内側端部に設けられた突出部の突出方向と反対方向にベルトを走行させた場合も、同様の効果を奏する。
また、ブロックの外側端部と内側端部の両方に突出部を有するため、外側端部と内側端部の一方にのみ突出部を有するブロックよりも重心バランスがよい。
【００１４】
第４の発明のベルトは、前記第２または第３の発明において、前記少なくとも一部のブロックは、外側端部に前記配列方向の一方向に突出する前記突出部を有するブロックと、このブロックの前記一方向側に隣接して配置され、内側端部に前記配列方向の他方向に突出する前記突出部を有するブロックとを含んでいることを特徴とする。
【００１５】
この構成によると、例えば、ブロックの外側端部に設けられた突出部の突出方向と同一方向にベルトを走行させた場合、この突出部によって、ブロックの外側端部の表面に沿って流れる気流は方向が変えられて、隣接する２つのブロック（外側端部に突出部を有するブロックと、内側端部に突出部を有するブロック）の間に導かれる。内側端部に設けられた突出部の突出方向は、ベルト進行方向と反対方向であるため、外側端部に突出部を有するブロックと、内側端部に突出部を有するブロックとの間に導入された気流は、内側端部の突出部によって、ブロックの内側端部の表面に沿って流れる気流の向きに近い方向に変えられる。そのため、隣接する２つのブロックの間から空気をスムーズに排出させることができる。したがって、本発明の構成によると、２つのブロックの間にスムーズに流入させるとともに、この流入された空気を、スムーズに排出することができる。
また、ブロックの内側端部に設けられた突出部の突出方向と同一方向にベルトを走行させた場合、上述した場合と気流の向きが逆になるだけで、同様の効果を奏する。
【００１６】
第５の発明のベルトは、前記第２〜第４のいずれかの発明において、前記複数のブロックは全て、外側端部と内側端部に、互いに逆方向に突出する前記突出部を有することを特徴とする。
【００１７】
この構成によると、ベルト走行方向がどちらの方向であっても、ベルトの全周において、ブロックの外側端部または内側端部の表面に沿ってベルト進行方向と反対方向に流れる気流の一部を、隣接する２つの突出部の間からスムーズに流入させて、この突出部と反対側に位置する隣接する２つの突出部の間からスムーズに排出させることができる。
【００１８】
第６の発明のベルトは、前記第２〜第４のいずれかの発明において、前記複数のブロックは、外側端部に前記突出部を有する複数のブロックと、外側端部に前記突出部を有さず、且つ、外側端部が前記突出部よりも奥まった位置にあるブロックとを含んでおり、前記外側端部に突出部を有する２つのブロックの間に、前記外側端部に突出部を有しない１つまたは複数のブロックが配置されていることを特徴とする。
【００１９】
この構成によると、外側端部に突出部を有する２つのブロックの間に、外側端部が突出部よりも奥まった位置にある１つまたは複数のブロックが配置されるため、外側端部に突出部を有するブロックが隣接して配置された場合に比べて、隣接する２つの突出部の間の距離が大きくなる。したがって、ベルト走行時に、隣接する２つの突出部の間に多量の空気を流入させることができるため、隣接する２つのブロックの間により多くの空気を流入させることができ、より高い放熱効果が得られる。
【００２０】
第７の発明のベルトは、前記第２〜第４および第６のいずれかの発明において、前記複数のブロックは、内側端部に前記突出部を有する複数のブロックと、内側端部に前記突出部を有さず、且つ、内側端部が前記突出部よりも奥まった位置にあるブロックとを含んでおり、前記内側端部に突出部を有する２つのブロックの間に、前記内側端部に突出部を有しない１つまたは複数のブロックが配置されていることを特徴とする。
【００２１】
この構成によると、内側端部に突出部を有する２つのブロックの間に、内側端部が突出部よりも奥まった位置にある１つまたは複数のブロックが配置されるため、内側端部に突出部を有するブロックが隣接して配置された場合に比べて、隣接する２つの突出部の間の距離が大きくなる。したがって、ベルト走行時に、隣接する２つの突出部の間に多量の空気を流入させることができるため、隣接する２つのブロックの間により多くの空気を流入させることができ、より高い放熱効果が得られる。
【図面の簡単な説明】
【００２２】
【図１】本発明の実施形態に係るベルトの部分斜視図である。
【図２】本発明の実施形態に係るベルトの部分側面図である。
【図３】図２のIII−III線断面図である。
【図４】図３のIV−IV線断面図であって、図中左方向にベルトを走行させた場合の図である。
【図５】図３のIV−IV線断面図であって、図中右方向にベルトを走行させた場合の図である。
【図６】本発明の他の実施形態に係るベルトの部分断面図である。
【図７】本発明の他の実施形態に係るベルトの部分断面図である。
【図８】本発明の他の実施形態に係るベルトの部分断面図である。
【図９】本発明の他の実施形態に係るベルトの部分断面図である。
【図１０】本発明の他の実施形態に係るベルトの部分断面図である。
【発明を実施するための形態】
【００２３】
以下、本発明の実施の形態について説明する。
図１に示すように、本実施形態のベルト１は、平行に並んで配置される２つの無端状のセンターベルト１０と、この２つのセンターベルト１０に、ベルト長手方向に沿って所定ピッチで取り付けられた複数のブロック２０とから構成されている。図３に示すように、ベルト１は、Ｖプーリ５０のＶ溝の対向面５０ａに挟持された状態でＶプーリ５０に巻き掛けられて使用される。ベルト１（詳細にはブロック２０）の両側面のなす角度は、Ｖプーリ５０のＶ溝の角度と同じになっている。
以下、図１〜５中の上下方向を上下方向と定義し、図１、２、４、５に示すベルト長手方向をベルト長手方向と定義し、図１、３に示すベルト幅方向をベルト幅方向と定義して、ベルト１について説明する。図１〜５中、ベルト１の上側が外周側であって、ベルト１の下側が内周側である。
【００２４】
図１および図２に示すように、センターベルト１０は、心線１２がスパイラル状に埋設されたゴム層１１と、ゴム層１１の上下両面を被覆するカバー帆布１３とから構成されている。センターベルト１０の上面には、ベルト幅方向に延在する多数の凹部１０ａが、ベルト長手方向に所定の間隔で並んで形成されている。また、センターベルト１０の下面には、ベルト幅方向に延在する多数の凹部１０ｂが、ベルト長手方向に関して凹部１０ａと同じ間隔で並んで形成されている。
【００２５】
ゴム層１１は、クロロプレンゴム、天然ゴム、ニトリルゴム、スチレン−ブタジエンゴム、水素化ニトリルゴム等の単一材もしくはこれらを適宜ブレンドしたゴム、または、ポリウレタンゴムで形成されている。
【００２６】
心線１２としては、ポリエステル繊維、ポリアミド繊維、アラミド繊維、ガラス繊維等からなるロープや、スチールワイヤ等が用いられる。なお、心線１２の代わりに、上記の繊維からなる織布や編布、または金属薄板等をゴム層１１内に埋設してもよい。
【００２７】
カバー帆布１３は、ベルト走行時にゴム層１１がブロック２０との摩擦により摩耗するのを防止するためのものである。カバー帆布１３は、平織り、綾織りまたは朱子織り等の織布であって、その繊維材料としては、アラミド繊維、ポリアミド繊維、ポリエステル繊維等が用いられる。
【００２８】
図１および図２に示すように、複数のブロック２０は、全て同じ形状であって、ベルト長手方向に沿って所定の隙間を空けて配列されている。ブロック２０は、ベルト幅方向の両側に、２つのセンターベルト１０がそれぞれ嵌合される２つの嵌合溝２４を有する。図３に示すように、嵌合溝２４に嵌合された状態のセンターベルト１０の側面は、ブロックのベルト幅方向の側面２０ａ、２０ｂよりも奥まった位置にある。そのため、センターベルト１０はＶ溝対向面５０ａに接触せず、ブロック２０のみがＶ溝対向面５０ａに接触して力を受けるようになっている。
【００２９】
図１および図３に示すように、ブロック２０は、上ビーム２１と、下ビーム２２と、これら上下ビーム２１、２２のベルト幅方向の中央部同士を連結するピラー２３とから構成され、ベルト長手方向から見て略Ｈ状に形成されている。また、図２および図４に示すように、ブロック２０は、ベルト幅方向から見てＳ字状に形成されている。ブロック２０の上下両端部（後述する突出部２１ａ、２２ａ）を除く部分は、ベルト長手方向に直交する平板状に形成されている。
【００３０】
嵌合溝２４は、上ビーム２１の下面と、下ビーム２２の上面と、ピラー２３のベルト幅方向端面とによって形成されている。嵌合溝２４の上面には、センターベルト１０の凹部１０ａに嵌合する凸部２４ａが形成されており、嵌合溝２４の下面には、センターベルト１０の凹部１０ｂに嵌合する凸部２４ｂが形成されている。凹部１０ａと凸部２４ａ、および、凹部１０ｂと凸部２４ｂの嵌合によって、ブロック２０はセンターベルト１０に固定されている。
【００３１】
図２および図４に示すように、上ビーム２１の上側略半分は、ベルト長手方向（ブロック２０の配列方向）の一方向（図２および図４中の右方向）に向かって突出し、先端ほど厚みが小さくなる先細り状の突出部２１ａで構成されている。また、下ビーム２２の下側略半分は、突出部２１ａと反対方向に向かって突出し、先端ほど厚みが小さくなる先細り状の突出部２２ａで構成されている。図１および図３に示すように、突出部２１ａ、２２ａは、ベルト幅方向両端が面取りされている。これにより、ベルト走行時に、突出部２１ａ、２２ａがＶプーリ５０のＶ溝対向面５０ａに引っかからないようになっている。
【００３２】
下ビーム２２の突出部２２ａを除く部分は、ベルト長手方向の厚さが下側ほど小さくなっている。これにより、ベルト１を屈曲させたときに、隣接する突出部２２ａ同士が緩衝するのを防止している。また、突出部２２ａ自体の形状（厚さやベルト長手方向長さ等）も、屈曲時に隣接する突出部２２ａ同士が緩衝しないように形成されている。
【００３３】
ブロック２０は、樹脂組成物のみで構成されていてもよいが、アルミニウム合金等の金属やセラミック等で形成されたインサート材の表面に樹脂組成物を被覆したもので構成されていてもよい。樹脂組成物としては、合成樹脂に、補強材や摩擦低減材等が配合されたものが用いられる。
【００３４】
上記樹脂組成物を構成する合成樹脂としては、液晶樹脂、フェノール樹脂、エポキシ樹脂、ポリエステル樹脂、アクリル樹脂、メタアクリル樹脂、ポリアミド樹脂、ポリアミドイミド（ＰＡＩ）樹脂、ポリフェニレンスルフィド（ＰＰＳ）樹脂、ポリブチレンテレフタレート（ＰＢＴ）樹脂、ポリイミド（ＰＩ）樹脂、ポリエーテルスルフォン（ＰＥＳ）樹脂、ポリエーテルエーテルケトン（ＰＥＥＫ）樹脂等が挙げられる。これらの中でも、熱可塑性樹脂、特に、ポリアミド樹脂が好ましい。また、合成樹脂の代わりに、ＪＩＳ‐Ａ硬度９０°以上の硬質ゴム、または硬質ポリウレタンを用いてもよい。
【００３５】
上記樹脂組成物に配合される補強材としては、例えば、アラミド繊維、炭素繊維、ガラス繊維、ポリアミド繊維、ポリエステル繊維などの繊維状補強材や、酸化亜鉛ウィスカ、チタン酸カリウムウィスカ等のウィスカ状補強材が挙げられる。これらの補強材を配合することによって、ブロック２０の曲げ剛性等の強度を高めることができ、ウィスカ状補強材を用いた場合には、プーリとの摩擦によるブロック２０の摩耗を抑制することができる。また、ウィスカ状補強材を用いる場合には、センターベルト１０がブロック２０と接触する部分においてウィスカ状補強材によって摩耗するのを防止するために、ブロック２０のセンターベルト１０と接触する部分（嵌合溝２４周辺部）を構成する樹脂組成物には、ウィスカ状補強材を配合しないことが好ましい。
【００３６】
上記樹脂組成物に配合される摩擦低減材としては、例えば、ポリ４フッ化エチレン（ＰＴＦＥ）、ポリフッ化エチレンプロピレンエーテル（ＰＦＰＥ）等のフッ素樹脂や、二硫化モリブデン、グラファイト等が挙げられる。このような摩擦低減材を配合することにより、ブロック２０とプーリとの摩擦係数が低減されるため、ブロック２０の摩耗を抑制することができる。
【００３７】
次に、ベルト１をＶプーリ５０に巻き掛けて、Ｖプーリ５０の回転により走行させた場合について説明する。
【００３８】
ベルト走行時には、ブロック２０がＶプーリ５０に接触（衝突）するときや、ブロック２０がＶプーリ５０から抜け出すときや、ベルト１が屈曲するときや、屈曲状態から元に戻るときに、ブロック２０とセンターベルト１０とが微小に相対移動して嵌合部分に摩擦が生じる。この摩擦を繰り返すことにより、ブロック２０とセンターベルト１０との嵌合部分に熱が発生する。
【００３９】
図４に示すように、ベルト進行方向が、下ビーム２２の突出部２２ａの突出方向、即ち、図４中左方向となるようにベルト１をＶプーリ５０に巻き掛けて走行させた場合、ベルト１の表面に沿って右方向に流れる気流が生じる。下ビーム２２の下端に、左方向に突出する先細り状の突出部２２ａが設けられているため、ベルト１の下面（内周面）に沿って右方向に流れる気流は、突出部２２ａの突出先端によって、右斜め上方向の流れと、右方向の流れに分岐される。つまり、突出部２２ａによって、ベルト１の下面（ブロックの内側端部の表面）に沿って右方向に流れる気流の方向を、右斜め上方向に変化させて、２つのブロック２０の間に気流を導くことができる。
さらに、突出部２２ａの右側部分が緩やかに右斜め上に傾斜しているため、ベルト１の下面（内周面）に沿って右方向に流れる気流の一部を、よりスムーズに２つのブロック２０の間に導くことができる。
【００４０】
隣接する２つの突出部２２ａのベルト幅方向の略中央部から流入した空気は、２つのブロック２０の間を上向きに通過して、２つのブロック２０の上端部（突出部２１ａ）の間から排出される。また、隣接する２つの突出部２２ａのベルト幅方向の端部付近から流入した空気は、センターベルト１０の下面と衝突した後、一部は、２つのブロック２０の側面部の間から排出され、残りは、ベルト幅方向略中央部を流れる気流に合流して２つのブロック２０の上端部（突出部２１ａ）の間から排出される。
【００４１】
ここで、従来のベルトのように、上ビーム２１に突出部２１ａが設けられておらず、上ビーム２１の上端部が上下方向に延在し、その先端が上下方向に直交する平坦面である場合（図６のブロック１２０の上ビームの上端部参照）、隣接する２つの上ビーム２１の上端の間から排出される気流の向きは上向きであって、ベルト１の上面（外周面）に沿って流れる気流の向きと直交しているため、スムーズに排出されない。
一方、本実施形態では、上ビーム２１の上端に、右方向に突出し、且つ、左側の面が右斜め上に傾斜している突出部２１ａを有する。隣接する２つの突出部２１ａの間を流れる気流の向きは、右斜め上方向であって、ベルト１の上面（外周面）に沿って流れる気流の向きに近いため、隣接する２つのブロック２０の上端部の間から空気をスムーズに排出することができる。
【００４２】
このように、ベルト１の内周側から隣接する２つのブロック２０の間に流入した空気は、ベルト１の外周側または側面側から排出される。この空気の流れによって、ブロック２０とセンターベルト１０との嵌合部分に生じる熱を、外部に放散することができる。その結果、センターベルト１０およびブロック２０の熱劣化を防止することができる。
【００４３】
また、図５に示すように、ベルト進行方向が、上ビーム２１の突出部２１ａの突出方向、即ち、図５中右方向となるようにベルト１をＶプーリ５０に巻き掛けて走行させた場合、ベルト１の表面に沿って左方向に流れる気流が生じる。したがって、図４に示す場合とは逆に、ベルト１の上面（外周面）に沿って流れる空気が、隣接する２つの突出部２１ａの間から流入して、隣接する２つの突出部２２ａの間または隣接する２つのブロック２０の側面部の間から排出される。この空気の流れによって、ブロック２０とセンターベルト１０との嵌合部分に生じる熱を、外部に放散することができる。その結果、センターベルト１０およびブロック２０の熱劣化を防止することができる。
【００４４】
複数のブロック２０は、上端部と下端部に、互いに逆向きに突出する突出部２１ａ、２２ａを有するため、ベルト進行方向がどちらの方向になっても、ベルト１の全周において、ベルト１の表面に沿って流れる気流の一部を、隣接する２つの突出部の間からスムーズに流入させて、この突出部と反対側に位置する隣接する２つの突出部の間からスムーズに排出させることができる。
【００４５】
以上、本発明の好適な実施形態を説明したが、上記の実施形態は以下のように変更して実施することができる。なお、上記実施形態と同様の構成を有するものについては、同じ符号を用いて適宜その説明を省略する。
【００４６】
１］上記実施形態では、複数のブロック２０は、上下両端部（外周側端部と内周側端部）に突出部２１ａ、２２ａを有しているが、例えば図６に示すベルト１０１のように、上下端部のいずれか一方しか突出部を有していなくてもよい。上下端部のいずれか一方に突出部を有していれば、ベルトの進行方向と突出部の突出方向とが一致するようにベルトをＶプーリ５０に巻き掛けることにより、上記実施形態と同様に、隣接する２つの突出部の間にスムーズに空気を流入させることができる。
【００４７】
この変更形態の場合、突出部を有しない端部の形状は、図６に示すブロック１２０の上端部のように、先端が上下方向に直交する平坦状であってもよいが、図７に示すベルト２０１のブロック２２０の上端部のように、突出部２２ａの突出方向と反対側部分（図７中の左側部分）が、円弧状に面取りされていてもよい。この構成によると、図６の場合に比べて、隣接する２つのブロック１２０の突出部を有しない端部の間からスムーズに空気を排出することができる。
【００４８】
２］上記実施形態では、複数のブロック２０は全て突出部２１ａ、２２ａを有しているが、複数のブロックのうち一部のブロックは、突出部２１ａまたは突出部２２ａを有していなくてもよい。
例えば、図８に示すベルト３０１のように、ブロック２０と、上下両端部に突出部を有しないブロック３２０とが交互に配置されていてもよい。ブロック３２０の上下端部は、ブロック２０の突出部２１ａ、２２ａよりも奥まった位置にある。この構成によると、上記実施形態に比べて、隣接する２つの突出部２１ａ（または２２ａ）の間の距離が大きく、隣接する２つの突出部の間に多量の空気を流入させることができる。これにより、隣接するブロック２０、３２０の間により多くの空気を流入させることができ、より高い放熱効果が得られる。
また、例えば、図９に示すベルト４０１のように、上端部に突出部２１ａを有し、下端部に突出部を有しないブロック４２０ａと、下端部に突出部２２ａを有し、上端部に突出部を有しないブロック４２０ｂとが交互に配置されていてもよい。ブロック４２０ｂの上端面は、ブロック４２０ａの突出部２１ａよりも奥まった位置にあり、ブロック４２０ａの下端面は、ブロック４２０ｂの突出部２２ａよりも奥まった位置にある。この構成によると、図８に示すベルト３０１と同様に、隣接するブロック４２０ａ、４２０ｂ間により多くの空気を流入させることができ、高い放熱効果が得られる。
なお、ブロック４２０ａ、４２０ｂに比べて、上述のベルト３０１の各ブロック３２０、２０の方が重量バランスが良いため、この点では、ベルト３０１の方がベルト４０１よりも好ましい。
【００４９】
また、図８では、突出部２１ａ、２２ａを有するブロック２０と、突出部を有しないブロック３２０とが交互に配置されているが、２つのブロック２０の間に、２つ以上のブロック３２０が配置されてもよい。この構成によると、２つのブロック２０の間に配置されるブロック３２０の数にもよるが、交互に配置した場合とほぼ同様に、高い放熱効果が得られる。
また、図９のブロック４２０ａ、４２０ｂについても同様に、必ずしも交互に配置されていなくてもよい。例えば、２つのブロック４２０ａの間に、２つ以上のブロック４２０ｂが配置されてもよい。
【００５０】
また、図８および図９のように、突出部を有しない端部と突出部とがベルト長手方向に隣接して配置される構成のベルトの場合、突出部の形状は、ベルト長手方向に突出する先細り状でさえあれば、図８および図９に示すような形状に限定されない。例えば、図１０に示すベルト５０１のブロック５２０の上下端部を構成する突出部５２１ａ、５２２ａのような形状でもよい。ブロック５２０の下ビームの下側略半分を構成する突出部５２２ａは、図中左方向に突出し、先端ほど厚みが小さくなる先細り状であるとともに、突出方向と反対側の部分（図中右側部分）が上下方向に延在している。この場合でも、上記実施形態と同様に、ベルトの内周面に沿って右方向に流れる気流の一部を、突出部５２２ａの突出先端により方向を変えさせて、隣接する２つの突出部５２２ａの間に導くことができる。また、ブロック５２０の上ビームの上側略半分を構成する突出部５２１ａは、突出部５２２ａを１８０°回転させたような形状であり、突出部５２２ａと同様の効果を奏する。
【００５１】
３］ブロック２０の上下端部の形状は、ベルト走行時にベルト１の外周面または内周面に沿って流れる気流の方向を変化させて、隣接する２つのブロック２０の間に気流を導くことができる形状であれば、突出部２１ａ、２２ａでなくてもよい。例えば、図７に示すブロック２２０の上端部のように、ベルト長手方向の一端が円弧状に面取りされた形状であってもよい。
【００５２】
４]上記実施形態では、ベルト１は、２つのセンターベルト１０と複数のブロック２０で構成されているが、１つのセンターベルトと複数のブロックで構成されていてもよい。この場合、ブロック２０の側面か、上下面に形成された嵌合溝に、センターベルト１０が嵌合される。また、ベルト１は、３つ以上のセンターベルトと複数のブロックで構成されていてもよい。
【符号の説明】
【００５３】
１、１０１、２０１、３０１、４０１、５０１  ベルト
１０  センターベルト
２０、１２０、２２０、３２０、４２０ａ、４２０ｂ、５２０  ブロック
２１  上ビーム
２１ａ、５２１ａ  突出部
２２  下ビーム
２２ａ、５２２ａ  突出部
２３  ピラー
【図１】
2011214625.tif 000003
【図２】
2011214625.tif 000004
【図３】
2011214625.tif 000005
【図４】
2011214625.tif 000006
【図５】
2011214625.tif 000007
【図６】
2011214625.tif 000008
【図７】
2011214625.tif 000009
【図８】
2011214625.tif 000010
【図９】
2011214625.tif 000011
【図１０】
2011214625.tif 000012